(57)【特許請求の範囲】
【請求項１】
上下方向に延びる仕切壁により、利用客が自由に出入りできる客室と、利用客が自由に出入りできない機械室とを仕切ったコイン精米設備であって、上下方向に沿う縦型の精米機本体の下端部に、精米済み白米出口を当該精米機本体の下端部から真下に向く姿勢で配置し、前記縦型の精米機本体を、機械室における仕切壁に沿う位置に設け、仕切壁における精米機本体の下方位置に、機械室側に窪む凹部を設け、前記白米出口が前記凹部に上方から真下に臨むように配置し、精米機本体に設けられた精米室の外周を覆うように糠排出部を配設し、この糠排出部から後方に延びる糠排出用出口を凹部よりも上方で後方に向くように配置し、精米機本体の後方に配置した糠用送風機を前記糠排出用出口に接続し、前記凹部に、白米を一時的に収容する白米ホッパもしくは白米の収容容器を配置可能に構成し、この白米ホッパもしくは白米の収容容器を配置可能な容器配置空間が、平面視して、精米機本体および白米出口と重なり、白米ホッパもしくは容器配置空間の真上に白米出口および精米機本体が位置するように配置し、白米出口からの白米を真下の白米ホッパもしくは容器に排出するよう構成したコイン精米設備。
【発明の詳細な説明】
【０００１】
【発明の属する技術分野】
本発明はコイン精米設備、特にコイン精米設備における精米機本体などの配置に関するものである。
【０００２】
【従来の技術】
コインや紙幣などの貨幣を投入することにより自動的に精米作業を行わせるコイン精米設備は知られている。この精米設備は、利用客が玄米や籾米を張込ホッパに投入した状態で、貨幣を投入し、白度選択ボタンを押すことにより、自動的に精米作業が行われ、精米された白米が白米ホッパに排出されるようになっている。
【０００３】
図５〜図７に示すように、コイン精米設備をなす建屋４０の内部は、利用客が自由に行き来できる客室４１と、精米機本体４２や糠用送風機４３などが配設されており管理者や保守点検員などの限定した人しか入ることができない機械室４４とに仕切壁４５で仕切られている。客室４１には、貨幣の投入口４６や多数の選択押釦４７などが設けられている制御操作部４８が、その前面だけが臨むように配設されているとともに、張込みホッパ４９の投入口４９ａが客室４１に突出して配設されている。
【０００４】
実際に精米作業を行わせる精米機本体４２は横型のものが機械室４４において前後方向に沿う姿勢で配置され、精米機本体４４において精米した白米を排出する白米出口４２ａの斜め下方には、白米出口４２ａからの白米を前側下方に導く出口ガイド５０が配設されている。この出口ガイド５０が配設されている箇所は、機械室４４でありながら、客室４１側へ膨出されており、出口ガイド５０の下方部分が、客室４１に配置されて白米を一時的に収容する白米ホッパ５１に向けて臨まされている。
【０００５】
白米ホッパ５１には、その下端の白米出口開口部を開閉する排出ゲート５２が回動可能に取り付けられており、白米ホッパ５１の下方位置に白米受け袋Ａを載置した状態で、排出ゲート５２に連結された足踏みペダル５３を踏むことにより、白米ホッパ５１の排出ゲート５２が開けられて、白米受け袋Ａ内に白米を落下させて回収できるようになっている。
【０００６】
また、機械室４４において、前後方向に沿って配置された精米機本体４２の上方箇所には、精米機本体４２に供給される玄米を溜める供給タンク５４が配設され、精米機本体４２の下方箇所には、精米機本体４２内の送りロールや精米ロールを駆動させるための駆動モータ５５が配設されている。精米機本体４２においては精米室の外周を覆うように糠排出部４２ｂが配設され、この糠排出部４２ｂには糠排出用ダクト５６を介して糠用送風機４３が接続されている。上述したように、精米機本体４２の上下には供給タンク５４や駆動モータ５５が配設され、また、精米機本体４２の側方には、制御操作部４８が設けられているため、精米機本体４２の近傍には糠用送風機４３の配置スペースがなく、その結果、糠用送風機４３は機械室４４の後部下方位置において、精米機本体４２から離れて配置されている。そして、精米機本体４２の糠排出部４２ｂからの糠排出用ダクト５６はその軸心が鉛直面内における半径方向（図５においては下方）に向けて接続されているため、糠排出用ダクト５６は途中の部分で湾曲されて配設されている。
【０００７】
【発明が解決しようとする課題】
しかしながら、上記従来構成のコイン精米設備によれば、精米機本体４２が横型であるとともに、前後方向に沿う姿勢で配置されているため、図５に示すように、機械室３における前後方向に大きな配設スペースＢを必要とし、機械室４４において保守点検員などが保守点検作業を行うスペースが狭くなって作業性が悪くなったり、機械室４４が前後に大きな収容スペースを必要とするために客室４１が狭くなったりしていた。また、横型の精米機本体４２を左右方向に沿う姿勢で配置することも考えられるが、この場合には、精米機本体４２が制御操作部４８と干渉してしまうため、このような配置を実際に行うことは困難であった。また、精米機本体４２が横型であるため、白米出口４２ａからの白米を前側に導く出口ガイド５０が必要となって、この出口ガイド５０を設けるための前後方向のスペースＤも要していた。
【０００８】
また、精米機本体４２が横型であって、精白された米が精米機本体４２より前方に排出されるため、平面視して、精米機本体２の前方に白米ホッパ５１を配置することになって、これによっても、前後方向に大きな配設スペース（精米機本体４２の前後方向の配設スペースＢ＋白米ホッパ５１の前後方向の配設スペースＣ）が必要となって、一層、保守点検作業の作業性悪化や客室スペースの減少を招いていた。
【０００９】
さらに、精米機本体４２から離れた位置に糠用送風機４３を配置せざるを得ないため、糠排出用ダクト５６で長い距離にわたって接続しなければならないとともに、上述のように糠排出用ダクト５６も湾曲させる配置となるため、糠用送風機４３による吸気効率が悪く、その分だけ糠用送風機４３を能力の大きなものを使用することとなって、製造コストの増加や、さらなる機械室４４における作業空間の減少を招いていた。
【００１０】
本発明は上記課題を解決するもので、精米機本体や白米ホッパなどを前後方向に大きなスペースを要することなく配設することができ、糠用送風機による吸気効率を改善することができるコイン精米設備を提供することを目的とするものである。
【００１１】
【課題を解決するための手段】
上記課題を解決するために請求項１記載の発明は、利用客が自由に出入りできる客室と、利用客が自由に出入りできない機械室とを仕切ったコイン精米設備であって、上下方向に沿う縦型の精米機本体の下端部に、精米済み白米出口を当該精米機本体の下端部から真下に向く姿勢で配置し、前記縦型の精米機本体を、機械室における仕切壁に沿う位置に設け、仕切壁における精米機本体の下方位置に、機械室側に窪む凹部を設け、前記白米出口が前記凹部に上方から真下に臨むように配置し、精米機本体に設けられた精米室の外周を覆うように糠排出部を配設し、この糠排出部から後方に延びる糠排出用出口を凹部よりも上方で後方に向くように配置し、精米機本体の後方に配置した糠用送風機を前記糠排出用出口に接続し、前記凹部に、白米を一時的に収容する白米ホッパもしくは白米の収容容器を配置可能に構成し、この白米ホッパもしくは白米の収容容器を配置可能な容器配置空間が、平面視して、精米機本体および白米出口と重なり、白米ホッパもしくは容器配置空間の真上に白米出口および精米機本体が位置するように配置し、白米出口からの白米を真下の白米ホッパもしくは容器に排出するよう構成したものである。
【００１２】
この構成により、縦型の精米機本体を採用して、機械室における仕切壁に沿う位置に設けたので、機械室における前後方向の収容スペースを最小限に済ますことができる。また、白米出口が精米機本体の下端部から下方に向く姿勢で配置されているので、従来のような前方に突出するような出口ガイドを設けなくても済み、これによっても前後方向の収容スペースを減少できる。
【００１３】
また、平面視して精米機本体と白米ホッパもしくは白米の収容容器とが重なるように配置したため、前後方向に対して少ないスペースで、精米機本体と白米ホッパもしくは白米の収容容器とを支障なく配設することができる。
【００１４】
また、この構成により、縦型の精米機本体に糠用送風機を直接、または短い距離のダクトを介して接続できるので、糠用送風機による吸気効率を改善することができる。
【００１５】
【発明の実施の形態】
以下、本発明の実施の形態にかかるコイン精米設備を図面に基づき説明する。図１〜図３に示すように、このコイン精米設備においても、コイン精米設備をなす建屋２０の内部は、利用客が自由に行き来できる客室１と、精米機本体２や糠用送風機３などが配設されており管理者や保守点検員などの限定した人しか入ることができない機械室４とが仕切壁５で仕切られている。客室１には、貨幣の投入口６や多数の選択押釦７などが設けられている制御操作部８が、その前面だけが臨むように配設されているとともに、張込みホッパ９の投入口が客室１に突出して配設されている。
【００１６】
しかしながら、このコイン精米設備においては、従来のコイン精米設備とは異なって、実際に精米作業を行わせる精米機本体２として上下方向に沿う縦型のものが採用され、機械室４において仕切壁５に沿うように配置されている。また、この精米機本体２の精米済み白米出口２ａは、精米機本体２の下端部から下方に向く姿勢で配置されている。そして、仕切壁５における精米機本体２の下方位置には機械室４側に窪む凹部５ａが設けられ、この客室１に設けられた凹部５ａに、白米を一時的に収容する白米ホッパ１０が配設されている。また、仕切壁５における白米出口２ａの下方箇所は孔が形成され、白米出口２ａが白米ホッパ１０に対して上方から臨んでいる。
【００１７】
白米ホッパ１０には、その下端に開口された白米出口を開閉する排出ゲート１１が回動可能に取り付けられており、白米ホッパ１０の下方に白米受け袋Ａを載置した状態で、排出ゲート１１にケーブル１２を介して連結された足踏みペダル１３を踏むことにより、白米ホッパ１０の排出ゲート１１を開けて、白米受け袋Ａ内に白米を落下させて回収するようになっている。
【００１８】
精米機本体２においては精米室の外周を覆うように糠排出部２ｂが配設され、この糠排出部２ｂから後方に延びる糠排出用出口２ｃに糠用送風機３が直に接続されている。すなわち、糠用送風機３は精米機本体２の直ぐ後方に配置されており、糠用送風機３の排出側には、例えばダクト１５を介して糠用回収袋１６が取り付けられて糠を回収するようになっている。
【００１９】
また、図２において、１７は供給された玄米中の石などを取り除く石抜機、１８は張込みホッパ９からの玄米を石抜機１７側に送るための第１昇降機、１９は石抜機１７で異物が取り除かれた玄米を、精米機本体２の上方に配設された供給タンク１４に送るための第２昇降機である。
この精米機本体２は、例えば図４に示すような構造とされている。つまり、縦方向に配置された本体ケーシング２１内に、外部の駆動モータにより駆動プーリ２５を介して回転される中空の回転軸２２が配設され、回転軸２２の上部に送りロール２３が、また回転軸２２の下部に突条部を有する精米ロール２４がそれぞれ取り付けられ、これらの送りロール２３および精米ロール２４が回転軸２２とともに一体的に回転する。また、２６は送りロール２３の外周側に配置されて精米室３３の外殻部分をなす金属製の網で、網２６内の糠を糠排出部２ｂを介して空気とともに吸引して糠用送風機３から排出する。また、本体ケーシング２１の上部には、供給タンク１４からの玄米を精米室内に送り込む供給用スクリュ２７および供給用ケーシング２８を配設している。本体ケーシング２１の下端部には、精米室３３からの開度を調節することで精米の際の圧力などを調整する開度規制部材２９と、この開度規制部材２９と精米ロール２４との間から排出される白米を下方に案内する排出筒３０とが、それぞれ昇降自在に嵌合されている。そして、開度調整用モータ３１を作動させることで、開度用アーム３２を介して開度規制部材２９の上下位置を変えて精米白度を調整できるようになっている。
【００２０】
上記構成によれば、縦型の精米機本体２を採用して、機械室４における仕切壁５に沿う位置に設けたので、機械室４における精米機本体２の前後方向の配設スペースＥを最小限に済ますことができる。また、精米済み白米を出す排出筒３０の白米出口２ａが精米機本体２の下端部から下方に向く姿勢で配置されているので、白米を下方に良好に導く排出筒３０を設けても、前後方向の収容スペースを増加させるようなことがない。
【００２１】
また、精米機本体２における白米出口２ａの下方に、白米を一時的に収容する白米ホッパ１０を設けることで、平面視して、精米機本体２の前後方向の配設スペースＥと、白米ホッパ１０の前後方向の配設スペースＦとが重なるように配置でき、両者を前後方向に対して少ない配設スペースＦで支障なく配設することができる。
【００２２】
このように、精米機本体２の前後方向の配設スペースＥ、ならびに精米機本体２と白米ホッパ１０とを合わせた配設スペースＦとを最小限に抑えることができるので、機械室４において保守点検員などが保守点検作業を行うスペースが十分にとれて作業性が良好となるとともに、建屋２０内の客室１のスペースも十分にとれる。
【００２３】
また、縦型の精米機本体２をその糠排出用出口２ｃが後方に向くように配置し、精米機本体２の後方に糠用送風機３を配置して、縦型の精米機本体２に糠用送風機３を直接接続したので、糠用送風機３による吸気効率を向上させることができる。また、これに代えて、縦型の精米機本体２にダクトなどを介して糠用送風機３を接続した場合でも、精米機本体２と糠用送風機３との接続距離を短くできるとともに、接続経路を湾曲させなくてもよいため、良好な吸気効率を得ることができる。
【００２４】
なお、精米機本体２の構造としては、図４に示すようなものに限られるものではなく、精米済み白米出口がその下端部から下方に向く姿勢で配置した縦型のものであれば、どのような構造でもよい。また、精米機本体２における白米出口２ａの下方に白米ホッパ１０を設ける代わりに、白米の収容容器を直接配置できるように構成してもよい。なお、白米ホッパとは図示する形状に限るものではなく、白米を一時的に収容するものであれば、どのようなものでもよい。また、糠用送風機３の構造としては、糠を排出できるものであればよく、上記実施の形態のように、機械室４内に糠用回収袋１６を配置する代わりに、建屋２０外に糠用回収容器を設置するタイプのものにも適用できることはいうまでもない。
【００２５】
【発明の効果】
以上のように本発明によれば、上下方向に沿う縦型の精米機本体の下端部に、精米済み白米出口を当該精米機本体の下端部から真下に向く姿勢で配置し、前記縦型の精米機本体を、機械室における仕切壁に沿う位置に設け、仕切壁における精米機本体の下方位置に、機械室側に窪む凹部を設け、前記白米出口が前記凹部に上方から真下に臨むように配置し、精米機本体に設けられた精米室の外周を覆うように糠排出部を配設し、この糠排出部から後方に延びる糠排出用出口を凹部よりも上方で後方に向くように配置し、精米機本体の後方に配置した糠用送風機を前記糠排出用出口に接続し、前記凹部に、白米を一時的に収容する白米ホッパもしくは白米の収容容器を配置可能に構成し、この白米ホッパもしくは白米の収容容器を配置可能な容器配置空間が、平面視して、精米機本体および白米出口と重なり、白米ホッパもしくは容器配置空間の真上に白米出口および精米機本体が位置するように配置し、白米出口からの白米を真下の白米ホッパもしくは容器に排出するよう構成したことにより、機械室における精米機本体および白米排出部の前後方向の収容スペースを最小限に済ますことができ、機械室において保守点検員などが保守点検作業を行うスペースが十分にとれて作業性が良好となるとともに、建屋内の客室のスペースも十分にとれる。
【００２６】
また、精米機本体と白米ホッパもしくは白米の収容容器とを合わせた部分の前後方向の収容スペースをも最小限に済ますことができる。
さらに、仕切壁が前方になるように配置された縦型の精米機本体を、この精米機本体の糠排出用出口が後方に向くように配置し、精米機本体の後方に糠用送風機を配置したことで、糠用送風機による吸気効率を改善することができる。
【図面の簡単な説明】
【図１】本発明の実施の形態にかかるコイン精米設備の側面断面図である。
【図２】同コイン精米設備の平面断面図である。
【図３】同コイン精米設備の客室部分の正面図である。
【図４】同コイン精米設備における精米機本体の正面断面図である。
【図５】従来のコイン精米設備の側面断面図である。
【図６】従来のコイン精米設備の平面断面図である。
【図７】従来のコイン精米設備の客室部分の正面図である。
【符号の説明】
１          客室
２          精米機本体
２ａ        白米出口
２ｂ        糠排出部
２ｃ        糠排出用出口
３          糠用送風機
４          機械室
５          仕切壁
１０        白米ホッパ
２０        建屋
Ａ          白米受け袋（白米の収容容器）
【図１】
0003865527.tif 000002
【図２】
0003865527.tif 000003
【図３】
0003865527.tif 000004
【図４】
0003865527.tif 000005
【図５】
0003865527.tif 000006
【図６】
0003865527.tif 000007
【図７】
0003865527.tif 000008